(57)【要約】【課題】  高温水要求と低温水要求とが同時にあった場合においても、所定の温水をそれぞれ供給することができる温水供給システムを提供すること。【解決手段】  高温水及び低温水を生成するための熱源機１０２と、高温水の熱を消費する第１熱負荷１２２と、低温水の熱を消費する第２熱負荷１２６と、熱源機１０２の高温水を第１熱負荷１２２び供給する高温水供給ライン１２０と、熱源機１０２の低温水を第２熱負荷１２６に供給する低温水供給ライン１２４と、第１及び第２熱負荷１２２，１２６からの温水を熱源機１０２に戻す温水戻りライン１２５と、を備えた温水供給システム。熱源機１０２の戻り側ライン１１２と供給側ライン１１０とがバイパスライン１１８を介して接続され、このバイパスライン１１８に開度調整用のバイパス制御弁１４２が設けられ、また戻り側ライン１１２に送給量調整用の循環ポンプ１４４が設けられている。【選択図】  図１
2008232447.tif 000002
【特許請求の範囲】
【請求項１】
高温水及び低温水を生成するための熱源機と、高温水の熱を消費する第１熱負荷と、低温水の熱を消費する第２熱負荷と、前記熱源機の高温水出力部と前記第１熱負荷とを接続する高温水供給ラインと、前記熱源機の低温水出力部と前記第２熱負荷とを接続する低温水供給ラインと、前記熱源機の戻り入力部と前記第１及び第２熱負荷とを接続する温水戻りラインと、を備えた温水供給システムであって、
前記熱源機は、燃焼バーナからの燃焼熱により温水を生成するための加熱用熱交換器と、前記加熱用熱交換器の出力部と前記高温水出力部とを接続する供給側ラインと、前記加熱用熱交換機の入力部と前記戻り入力部とを接続する戻り側ラインと、前記戻り側ラインから分岐する分岐ラインとを備え、前記分岐ラインが前記低温水出力部に接続されており、
前記戻り側ラインにおける前記分岐ラインとの接続部より上流側と前記供給側ラインとがバイパスラインにより接続され、前記バイパスラインに流路開度を調整するためのバイパス制御弁が設けられており、
また、前記戻り側ラインにおける、前記バイパスラインとの接続部と前記分岐ラインとの接続部との間の部位に、温水を循環するための循環ポンプが配設され、前記循環ポンプは温水送給量の調整が可能であり、
更に、前記バイパス制御弁及び前記循環ポンプを制御するための制御弁が設けられており、
前記制御手段は、前記第１負荷からの高温水要求と前記第２熱負荷からの低温水要求とが同時に発生したときに前記バイパス制御弁及び前記循環ポンプを制御することを特徴とする温水供給システム。
【請求項２】
前記制御手段は、前記熱源機の前記低温水出力部から供給される低温水又は前記高温水出力部から供給される高温水の温度に基づいて、前記バイパス制御弁の流路開度及び前記循環ポンプの温水送給量を調整することを特徴とする請求項１に記載の温水供給システム。
【請求項３】
前記制御手段は、前記熱源機の前記低温水出力部から供給される低温水の温度に基づいて前記バイパス制御弁及び前記循環ポンプを制御し、前記低温水出力部からの低温水が、設定低温水供給温度よりも低い第１低温度よりも低いときには、前記バイパス制御弁の開度を「大」側に、且つ前記循環ポンプの送給量を「大」側に制御し、また前記低温水が、前記設定低温水供給温度よりも高い第１高温度よりも高いときには、前記バイパス制御弁の開度を「小」側に、且つ前記循環ポンプの送給量を「小」側に制御することを特徴とする請求項２に記載の温水供給システム。
【請求項４】
前記制御手段は、前記第１低温度及び前記第１低温度よりも低い第２低温度と、前記第１高温度及び前記第１高温度よりも高い第２高温度を用いて前記バイパス制御弁及び前記循環ポンプを制御し、前記低温水の温度が前記第２低温度よりも低いときには、前記バイパス制御弁の開度を「大」側に大きく、且つ前記循環ポンプの送給量を「大」側に大きく制御し、前記低温水の温度が前記第１低温度よりも低く且つ前記第２低温度以上であるときには、前記バイパス制御弁の開度を「大」側に小さく、且つ前記循環ポンプの送給量を「大」側に小さく制御し、また前記低温水の温度が前記第２高温度よりも高いときには、前記バイパス制御弁の開度を「小」側に大きく、且つ前記循環ポンプの送給量を「小」側に大きく制御し、更に前記低温水の温度が前記第１高温度よりも高く且つ前記第２高温度以下であるときには、前記バイパス制御弁の開度を「小」側に小さく、且つ前記循環ポンプの送給量を「小」側に小さく制御することを特徴とする請求項３に記載の温水供給システム。
【発明の詳細な説明】
【技術分野】
【０００１】
本発明は、高温水及び低温水を生成するための熱源機を備え、高温水を第１熱負荷に供給し、低温水を第２熱負荷に供給する温水供給システムに関する。
【背景技術】
【０００２】
近年、暖房用などに温水を広く適用するために、高温水及び低温水の２種類の温水を生成する熱源機を備えた温水供給システムが知られている（例えば、特許文献１参照）。この温水供給システムは、例えば、図５に示す構成であり、高温水及び低温水を生成するための熱源機２を備え、この熱源機２の高温水出力部４からのからの高温水が第１熱負荷６に供給され、その低温水出力部８からの低温水が第２熱負荷１０に供給され、第１及び第２熱負荷６，１０からの温水は戻り入力部１２を通して熱源機２に戻される。
【０００３】
この熱源機２は、燃焼バーナ１２と、燃焼バーナ１２の燃焼熱により温水を生成する加熱用熱交換器１４とを備え、加熱用熱交換器１４の出力部と高温水出力部４が供給側ライン１６により接続され、加熱用熱交換機１４の入力部と戻り入力部１２とが戻り側ライン１８により接続され、この戻り側ライン１８から分岐する分岐ライン２０が低温水出力部８に接続され、供給側ライン１６と戻り側ライン１８とがバイパスライン２１を介して接続されている。戻り側ライン１８には温水タンク２８及び循環ポンプ３０が配設されている。また、燃焼バーナ１２の燃料ガス供給ライン２２には、電磁開閉弁２４及び流量制御弁２６が配設されている。
【０００４】
このような温水供給システムにおいては、熱源機２の高温水出力部４に高温水開閉弁３２が配設され、この高温水開閉弁３２を開状態にすることによって、熱源機２からの高温水（例えば、８０℃の温水）が第１熱負荷６に供給される。また、熱源機２の低温水出力部８に低温水開閉弁３４が配設され、この低温水開閉弁３４を開状態にすることによって、熱源機２からの低温水（例えば、６０℃の温水）が第２熱負荷１０に供給される。
【０００５】
【特許文献１】特開２００３−２１３４３
【発明の開示】
【発明が解決しようとする課題】
【０００６】
この温水供給システムにおいては、高温水を供給するときには、高温水開閉弁３２が開状態に、また低温水開閉弁３４が閉状態に保たれ、このような状態にて循環ポンプ３０が一定回転数で作動されるので、熱源機２の加熱用熱交換器１４の出力部からの高温水は、供給側ライン１６を通して高温水出力部４から第１熱負荷６に供給され、また第１熱負荷６からの戻りの温水は、戻り側ライン１８を通して流れ、バイパスライン２１を通して戻る高温水と混合された後に加熱用熱交換器１４の入力部に流れ、このようにして高温水出力部４から所定高温度（例えば、８０℃）の高温水を供給することができる。
【０００７】
また、低温水を供給するときには、低温水開閉弁３４が開状態に、また高温水開閉弁３２が閉状態に保たれ、このような状態にて循環ポンプ３０が一定回転数で作動されるので、熱源機２の加熱用熱交換器１４の出力部からの高温水は、バイパスライン２１を通して戻り側ライン１８に送給され、この戻り側ライン１８にて第２熱負荷１０から戻る温水と混合され、かく混合された温水の一部が分岐ライン２０を通して第２熱負荷１０に供給され、また混合された温水の残部が加熱用熱交換器１４の入力部に流れ、このようにして低温水出力部８から所定温度（例えば、６０℃）の低温水を供給することができる。
【０００８】
ところが、高温水と低温水を同時に供給するときには、高温水開閉弁３２及び低温水開閉弁３４が開状態に保たれ、このような状態にて循環ポンプ３０が一定回転数で作動されるので、供給側ライン１６の高温水の一部が高温水出力部４から第１熱負荷６に供給されるとともに、その残部がバイパスライン２１を通して戻り側ライン１８を通して流れる温水と混合された後に低温水出力部８から第２熱負荷１０に供給され、このような供給状態においては、高温水出力部４から供給される高温水の温度は低下傾向になる（例えば、８０℃よりも幾分低くなる）一方、低温水出力部８から供給される低温水の温度は上昇傾向になり（例えば、６０℃よりも幾分高くなる）、熱源機２から所定高温度と所定低温度の２種類の温水を供給することが難しくなる。
【０００９】
本発明の目的は、第１熱負荷からの高温水要求と第２熱負荷からの低温水要求とが同時にあった場合においても、所定高温度及び所定低温度の温水を所要の通りに供給することができる温水供給システムを提供することである。
【課題を解決するための手段】
【００１０】
本発明の請求項１に記載の温水供給システムは、高温水及び低温水を生成するための熱源機と、高温水の熱を消費する第１熱負荷と、低温水の熱を消費する第２熱負荷と、前記熱源機の高温水出力部と前記第１熱負荷とを接続する高温水供給ラインと、前記熱源機の低温水出力部と前記第２熱負荷とを接続する低温水供給ラインと、前記熱源機の戻り入力部と前記第１及び第２熱負荷とを接続する温水戻りラインと、を備えた温水供給システムであって、
前記熱源機は、燃焼バーナからの燃焼熱により温水を生成するための加熱用熱交換器と、前記加熱用熱交換器の出力部と前記高温水出力部とを接続する供給側ラインと、前記加熱用熱交換機の入力部と前記戻り入力部とを接続する戻り側ラインと、前記戻り側ラインから分岐する分岐ラインとを備え、前記分岐ラインが前記低温水出力部に接続されており、
前記戻り側ラインにおける前記分岐ラインとの接続部より上流側と前記供給側ラインとがバイパスラインにより接続され、前記バイパスラインに流路開度を調整するためのバイパス制御弁が設けられており、
また、前記戻り側ラインにおける、前記バイパスラインとの接続部と前記分岐ラインとの接続部との間の部位に、温水を循環するための循環ポンプが配設され、前記循環ポンプは温水送給量の調整が可能であり、
更に、前記バイパス制御弁及び前記循環ポンプを制御するための制御弁が設けられており、
前記制御手段は、前記第１負荷からの高温水要求と前記第２熱負荷からの低温水要求とが同時に発生したときに前記バイパス制御弁及び前記循環ポンプを制御することを特徴とする。
【００１１】
また、本発明の請求項２に記載の温水供給システムでは、前記制御手段は、前記熱源機の前記低温水出力部から供給される低温水又は前記高温水出力部から供給される高温水の温度に基づいて、前記バイパス制御弁の流路開度及び前記循環ポンプの温水送給量を調整することを特徴とする。
【００１２】
また、本発明の請求項３に記載の温水供給システムでは、前記制御手段は、前記熱源機の前記低温水出力部から供給される低温水の温度に基づいて前記バイパス制御弁及び前記循環ポンプを制御し、前記低温水出力部からの低温水が、設定低温水供給温度よりも低い第１低温度よりも低いときには、前記バイパス制御弁の開度を「大」側に、且つ前記循環ポンプの送給量を「大」側に制御し、また前記低温水が、前記設定低温水供給温度よりも高い第１高温度よりも高いときには、前記バイパス制御弁の開度を「小」側に、且つ前記循環ポンプの送給量を「小」側に制御することを特徴とする。
【００１３】
更に、本発明の請求項４に記載の温水供給システムでは、前記制御手段は、前記第１低温度及び前記第１低温度よりも低い第２低温度と、前記第１高温度及び前記第１高温度よりも高い第２高温度を用いて前記バイパス制御弁及び前記循環ポンプを制御し、前記低温水の温度が前記第２低温度よりも低いときには、前記バイパス制御弁の開度を「大」側に大きく、且つ前記循環ポンプの送給量を「大」側に大きく制御し、前記低温水の温度が前記第１低温度よりも低く且つ前記第２低温度以上であるときには、前記バイパス制御弁の開度を「大」側に小さく、且つ前記循環ポンプの送給量を「大」側に小さく制御し、また前記低温水の温度が前記第２高温度よりも高いときには、前記バイパス制御弁の開度を「小」側に大きく、且つ前記循環ポンプの送給量を「小」側に大きく制御し、更に前記低温水の温度が前記第１高温度よりも高く、且つ前記第２高温度以下であるときには、前記バイパス制御弁の開度を「小」側に小さく、且つ前記循環ポンプの送給量を「小」側に小さく制御することを特徴とする。
【発明の効果】
【００１４】
本発明の請求項１に記載の温水供給システムによれば、熱源機は高温水（例えば８０℃の温水）を供給する高温水出力部及び低温水（例えば、６０℃の温水）を供給する低温水出力部を有し、戻り側ラインと供給側ラインとがバイパスラインにより接続され、このバイパスラインに流路開度を調整するためのバイパス制御弁が設けられ、また戻り側ラインには温水送給量が調整可能な循環ポンプが配設されている。そして、制御手段は、第１負荷からの高温水要求と第２熱負荷からの低温水要求とが同時に発生したときにバイパス制御弁及び循環ポンプを所要の通りに制御するので、低温水出力部からの低温水の温度上昇傾向及び高温水出力部からの高温水の温度低下傾向を解消することができ、低温水出力部から所定の低温水温度（例えば、６０℃）の温水を、また高温水出力部から所定の高温水温度（例えば、８０℃）の温水を供給することができる。
【００１５】
また、本発明の請求項２に記載の温水供給システムによれば、制御手段は、熱源機の低温水出力部から供給される低温水の温度に基づいて、バイパス制御弁の開度及び循環ポンプの温水送給量を調整するので、主として低温水出力部から供給される低温水の温度が制御され、稼働状況によって低温水の温度が上昇したときにはその温度が低下するように、また稼働状況によって低温水の温度が下降したときにはその温度が上昇するように制御し、このように制御することによって、低温出力部から所定の低温水温度の温水を供給することができる。バイパス制御弁の開度及び循環ポンプの温水送給量は、熱源機の高温水出力部から供給される高温水の温度に基づいて制御することもできる。
【００１６】
また、本発明の請求項３に記載の温水供給システムによれば、低温水出力部からの低温水の温度が第１低温度よりも低いときには、制御手段はバイパス制御弁の開度を「大」側に、且つ循環ポンプの送給量を「大」側に制御するので、バイパスラインを通して戻り側ラインに送給される高温水の量が増加するとともに、戻り側ラインから分岐ラインを通して低温水出力部に供給される低温水の送給量が増加し、これによって、低温水の温度を上昇させて所定低温水供給温度にすることができる。また、この低温水の温度が第１高温度よりも高いときには、制御手段はバイパス制御弁の開度を「小」側に、且つ循環ポンプの送給量を「小」側に制御するので、バイパスラインを通して戻り側ラインに送給される高温水の量が減少するとともに、戻り側ラインから分岐ラインを通して低温水出力部に供給される低温水の送給量が減少し、これによって、低温水の温度を下降させて所定低温水供給温度にすることができる。
【００１７】
更に、本発明の請求項４に記載の温水供給システムによれば、熱源機の低温水出力部からの低温水の温度が第２低温度よりも低いときには、制御手段はバイパス制御弁の開度を「大」側に大きく、且つ循環ポンプの送給量を「大」側に大きく制御するので、低温水の温度を大きく上昇させて所定低温水供給温度にすることができる。この低温水の温度が第１低温度よりも低く且つ第２低温度以上であるときには、制御手段はバイパス制御弁の開度を「大」側に小さく、且つ循環ポンプの送給量を「大」側に小さく制御するので、低温水の温度を少し上昇させて所定低温水供給温度にすることができる。また、この低温水の温度が第２高温度よりも高いときには、制御手段はバイパス制御弁の開度を「小」側に大きく、且つ循環ポンプの送給量を「小」側に大きく制御するので、低温水の温度を大きく下降させて所定低温水供給温度にすることができる。更に、この低温水の温度が第１高温度よりも高く且つ第２高温度以下であるときには、制御手段はバイパス制御弁の開度を「小」側に小さく、且つ循環ポンプの送給量を「小」側に小さく制御するので、低温水の温度を少し下降させて所定低温水供給温度にすることができる。
【発明を実施するための最良の形態】
【００１８】
以下、添付図面を参照して、本発明に従う温水供給システムの一実施形態について説明する。図１は、本発明に従う温水供給システムの全体を簡略的に示す簡略図であり、図２は、図１の温水供給システムの制御系を簡略的に示すブロック図であり、図３は、図２の制御系による制御を示すフローチャートであり、図４は、図３のフローチャートにおける同時使用の供給制御の内容を具体的に示すフローチャートである。
【００１９】
図１において、図示の温水供給システムは、低温水及び高温水を生成するための熱源機１０２を備え、その高温水出力部１０４から高温水（例えば、８０℃の温水）が供給され、その低温水出力部１０６から低温水（例えば、６０℃の温水）が供給される。この熱源機１０２は加熱用熱交換器１０８を有し、この加熱用熱交換器１０８の出力部には供給側ライン１１０の一端側が接続され、この供給側ライン１１０の他端側が高温水出力部１０４に延びている。加熱用熱交換器１０８の入力部には戻り側ライン１１２の一端側が接続され、この戻り側ライン１１２の他端側が戻り入力部１１４に延びている。また、戻り側ライン１１４から分岐する分岐ライン１１６が設けられ、この分岐ライン１１６が低温水出力部１０６に延びている。更に、戻り側ライン１１２における分岐ライン１１６との接続部よりも上流側（即ち、分岐ライン１１６との接続部と戻り入力部１１４との間の部位）と供給側ライン１１０とがバイパスライン１１８を介して接続されている。
【００２０】
熱源機１０２の高温水出力部１０４には高温水供給ライン１２０が接続され、この高温水供給ライン１２０を介して、高温水（例えば、８０℃の温水）を用いて暖房などを行う第１熱負荷１２２が接続される。また、熱源機１０２の低温水出力部１０６には低温水供給ライン１２４が接続され、この低温水供給ライン１２４を介して、低温水（例えば、６０℃の温水）を用いて暖房などを行う第２熱負荷１２６が接続される。また、第１及び第２熱負荷１２２，１２６からの温水を熱源機１０２に戻すための温水戻りライン１２５が設けられ、この温水戻りライン１２５の一端側が分岐して第１及び第２熱負荷１２２，１２６に接続され、その他端側が熱源機１０２の戻り入力部１１４に接続されている。尚、第１熱負荷１２２とは、例えば浴室暖房乾燥機であり、また第２熱負荷１２６とは、例えば床暖房装置である。
【００２１】
図２をも参照して、この温水供給システムには、加熱用熱交換器１０８に関連して、燃焼バーナ１２８が設けられている。この燃焼バーナ１２８には燃料ガス供給ライン１３０が接続され、燃料ガス供給ライン１３０に電磁開閉弁１３２及び流量制御弁１３４が配設されている。電磁開閉弁１３２は燃料ガス供給ライン１３０を開閉制御し、流量制御弁１３４は燃料ガス供給ライン１３０を通して流れる燃料ガスの流量を制御する。また、この燃焼バーナ１２８には、燃焼点火のための点火装置１３６が設けられる。このように構成されているので、埋設管、燃料ガスボンベなどの燃料ガス供給源（図示せず）からの燃料ガスは、燃料ガス供給ライン１３０、電磁開閉弁１３２及び流量制御弁１３４を通して燃焼バーナ１２８に供給され、この燃焼バーナ１２８にて燃焼され、この燃焼による燃焼熱を利用して加熱用熱交換器１０８にて温水との間で熱交換が行われ、このようにして加熱された高温水が加熱用熱交換器１０８の出力部から供給側ライン１１０に供給される。
【００２２】
この温水供給システムでは、熱源機１０２の高温水出力部１０４に、高温水の供給、供給停止を行うための高温水開閉弁１３８が設けられ、高温水開閉弁１３８は、第１熱負荷１２２に高温水を供給するときには開状態に保たれ、第１熱負荷１２２への高温水の供給を停止するときには閉状態に保たれる。また、熱源機１０２の低温水出力部１０６に、低温水の供給、供給停止を行うための低温水開閉弁１４０が設けられ、低温水開閉弁１４０は、第２熱負荷１２６に低温水を供給するときには開状態に保たれ、第２熱負荷１２６への低温水の供給を停止するときには閉状態に保たれる。
【００２３】
また、バイパスライン１１８にはバイパス制御弁１４２が配設される。このバイパス制御弁１４２は、バイパスライン１８の開度を制御してそこを流れる高温水の送給量を後述するように制御する。また、戻り側ライン１１２、具体的には分岐ライン１１６との接続部とバイパスライン１１８との接続部との間には、循環ポンプ１４４及び温水タンク１４６が配設されている。循環ポンプ１４４は、第１及び第２熱負荷１２２，１２６を通して温水を循環させるためのものであり、その回転数を制御することによって温水の送給量が調整可能なものから構成される。また、温水タンク１４６は温水を溜めるためのものである。
【００２４】
この温水供給システムには、更に、熱源機１０２の高温水出力部１０４に第１温度センサ１４８が設けられ、第１温度センサ１４８はこの高温水出力１０４から供給される高温水の温度を検知する。また、熱源機１０２の低温水出力部１０６に第２温度センサ１５０が設けられ、第２温度センサ１５０はこの低温水出力部１０６から供給される低温水の温度を検知する。更に、熱源機１０２の戻り入力部１１４には流量センサ１５２が設けられ、この流量センサ１５２は戻り入力部１１４を通して戻り側ライン１１２に戻される温水の流量を検知する。
【００２５】
第１熱負荷１２２に関連して、この第１熱負荷１２２を作動制御するための第１リモコン１５４が設けられ、また第２熱負荷１２６に関連して、この第２熱負荷１２６を作動制御するための第２リモコン１５６が設けられている。第１及び第２リモコン１５４，１５６は、作動及び作動停止するための電源ボタン１５８及び暖房温度を設定するための温度設定手段１６０などを含んでいる。
【００２６】
温水供給システムは、更に、システム全体を制御するためのコントローラ１６２を備え、このコントローラ１６２は例えばマイクロコンピュータなどから構成される。流量センサ１５２、第１及び第２温度センサ１４８，１５０並びに第１及び第２リモコン１５４，１５６からの各種信号がコントローラ１６２に送給され、コントローラ１６２は、これら各種信号に基づいて電磁開閉弁１３２、流量制御弁１３４、高温水開閉弁１３８，低温水開閉弁１４０、バイパス制御弁１４２及び循環ポンプ１４４などを後述するように作動制御する。
【００２７】
この実施形態では、コントローラ１６２は、作動制御手段１６４、初期状態設定手段１６６、温度比較手段１６８、開度補正手段１７０、回転数補正手１７２及びメモリ１７４を含んでいる。作動制御手段１６４は、バイパス制御弁１４２及び循環ポンプ１４４などを後述する如く制御し、初期状態設定手段１６６は、バイパス制御弁１４２の開度を初期状態に設定するとともに、循環ポンプ１４４の回転数を初期状態に設定する。
【００２８】
この実施形態では、メモリ手段１７４には、熱源機１０２の高温水出力部１０４から供給される高温水の温度、即ち設定高温水供給温度（例えば、８０℃）と、その低温水出力部１０６から供給される低温水の温度、即ち設定低温水供給温度（例えば、６０℃）とが記憶され、更に、バイパス制御弁１４２の開度及び循環ポンプ１４４の回転数を調整するための基準となる温度、即ち設定低温水供給温度よりも低い側における第１及び第２低温度ＴＬ１，ＴＬ２と、設定低温水供給温度よりも高い側における第１及び第２高温度ＴＨ１，ＴＨ２が記憶されている。例えば、第１低温度ＴＬ１は設定低温水供給温度（例えば、６０℃）よりも第１温度（例えば、５℃）低い５５℃に設定され、第２低温度ＴＬ２は、第１低温度ＴＬ１よりも低く、設定低温水供給温度よりも第２温度（例えば、１０℃）低い５０℃に設定される。また、第２高温度ＴＨ１は設定高温水供給温度よりも第３温度（例えば、５℃）高い６５℃に設定され、第２高温度ＴＨ２は、第１高温度ＴＨ１よりも高く、設定高温水供給温度よりも第４温度（例えば、１０℃）高い７０℃に設定される。
【００２９】
コントローラ１６２の温度比較手段１６８は、第２温度センサ１５０の検知温度Ｔとメモリ手段１７４に登録された第１及び第２低温度ＴＬ１，ＴＬ２並びに第１及び第２高音のＴＨ１，ＴＨ２とを比較する。開度補正手段１７０はバイパス制御弁１４２の開度を調整し、回転数補正手段１７２は循環ポンプ１４４の回転数、換言すると温水の送給量を調整する。
【００３０】
この実施形態では、バイパス制御弁１４２の開度は、例えば１０段階に調整されるように構成され、また循環ポンプ１４４の回転数は、バイパス制御弁１４２の開度調整に対応して、１０段階に調整されるように構成されている。そして、開度補正手段１７０は、後述するように、第２温度センサ１５０の検知温度Ｔが第２低温度ＴＬ２より低いときにはバイパス制御弁１４２の開度を「大」側に大きく、例えば２段階大きく補正し、この検知温度Ｔが第１低温度ＴＬ１より低く且つ第２低温度ＴＬ２以上であるときにはバイパス制御弁１４２の開度を「大」側に小さく、例えば１段階大きく補正し、第２温度センサ１５０の検知温度Ｔが第２高温度ＴＨ２よりも高いときにはバイパス制御弁１４２の開度を「小」側に大きく、例えば２段階小さく補正し、またこの検知温度Ｔが第１高温度ＴＨ１より大きく且つ第２高温度ＴＨ２以下のときにはバイパス制御弁１４２の開度を「小」側に小さく、例えば１段階小さく補正する。
【００３１】
また、回転数補正手段１７２は、開度補正手段１７０によるバイパス制御弁１４２の開度補正に対応して、第２温度センサ１５０の検知温度Ｔが第２低温度ＴＬ２より低いときには循環ポンプ１４４の回転数（換言すると、温水の送給量）を「大」側に大きく、例えば２段階大きく補正し、この検知温度Ｔが第１低温度ＴＬ１より低く且つ第２低温度ＴＬ２以上であるときには循環ポンプ１４４の回転数を「大」側に小さく、例えば１段階大きく補正し、第２温度センサ１５０の検知温度Ｔが第２高温度ＴＨ２よりも高いときには循環ポンプ１４４の回転数を「小」側に大きく、例えば２段階小さく補正し、またこの検知温度Ｔが第１高温度ＴＨ１より大きく且つ第２高温度ＴＨ２以下のときには循環ポンプ１４４の回転数を「小」側に小さく、例えば１段階小さく補正する。
【００３２】
尚、この実施形態では、バイパス制御弁１４２の開度及び循環ポンプ１４４の回転数を１０段階に制御できるように構成しているが、１０段階よりも少なくして制御を簡単にしてもよく、或いは１０段階よりも多くしてより細かく制御するようにしてもよい。
【００３３】
次に、図１及び図２とともに図３を参照して、上述した温水供給システムの制御について説明する。この温水供給システムにおいては、ステップＳ１において、第１熱負荷１２２が高温水要求信号を生成したか否か（即ち、第１熱負荷１２２から高温水の要求があったか否か）が判断され、続いてステップＳ２において、第２熱負荷１２６が低温水要求信号を生成したか否か（即ち、第２熱負荷１２６から低温水の要求があったか否か）が判断される。
【００３４】
第１熱負荷１２２からの高温水要求及び第２熱負荷１２６からの低温水要求があった場合（即ち、第１及び第２熱負荷１２２，１２６が稼働状態にあって、これら熱負荷１２２，１２６から同時に温水要求があった場合）、ステップＳ１からステップＳ２を経てステップＳ３に移り、高温水及び低温水の同時要求の供給制御が行われ、この同時要求の制御については、後に詳述する。
【００３５】
また、第１熱負荷１２２のみから高温水要求があった場合（即ち、第１熱負荷１２２のみが稼働状態にあって高温水の要求があった場合、或いは第１及び第２熱負荷１２２，１２６が稼働状態にあって、第１熱負荷１２２のみから温水要求があった場合）、ステップステップ１からステップＳ２を経てステップＳ４に移る。このときには、バイパス制御弁１４２及び循環ポンプ１４４が初期状態、例えばバイパス制御弁１４２の開度が１０段階の例えば「５」に、また循環ポンプ１４４の回転数が１０段階の例えば「５」に保たれるように制御される。即ち、バイパス制御弁１４２及び循環ポンプ１４４が初期状態にあるときにはステップＳ５に進み、これらが初期状態にないときには、ステップＳ６に移り、初期状態設定手段１６６はバイパス制御弁１４２及び循環ポンプ１４４を初期状態に設定し、その後ステップＳ５に進む。ステップＳ５においては、第１熱負荷１２２要求の供給制御が行われ、この供給制御においては、高温水開閉弁１３８が開状態に、低温水開閉弁１４０が閉状態に保持され、循環ポンプ１４４が作動される。また、電磁開閉弁１３２が開状態に保たれ、流量制御弁１３４が燃料ガスの流量を制御し、燃焼バーナ１２８の燃料による燃焼熱によって加熱用熱交換器１０８が加熱される。
【００３６】
従って、このときには、加熱用熱交換器１０８にて高温水が生成され、かく生成された高温水の一部（設定高温水供給温度の温水）が高温水出力部１０４から高温水供給ライン１２０を通して第１熱負荷１２２に供給され、その残部がバイパスライン１１８を通して戻り側ライン１１２に送給される。第１熱負荷１２２にて熱が消費された温水は、温水戻りライン１２５を通して熱源機１０２に戻り、戻り側ライン１１２を通して流れる間にバイパスライン１１８からの高温水と混合された後に加熱用熱交換器１０８に流れて再び加熱され、このように第１熱負荷１２２を通して温水が循環される。
【００３７】
また、第２熱負荷１２６のみから低温水要求があった場合（即ち、第２熱負荷１２６のみが稼働状態にあって低温水の要求があった場合、或いは第１及び第２熱負荷１２２，１２６が稼働状態にあって、第２熱負荷１２６のみから温水要求があった場合）、ステップステップ１からステップＳ７を経てステップＳ８に移る。このときにも、バイパス制御弁１４２及び循環ポンプ１４４が初期状態に保たれるように制御され、バイパス制御弁１４２及び循環ポンプ１４４が初期状態にあるときにはステップＳ９に進み、これらが初期状態にないときには、ステップＳ１０に移り、初期状態設定手段１６６はバイパス制御弁１４２及び循環ポンプ１４４を初期状態に設定し、その後ステップＳ１０に進む。ステップＳ１０においては、第２熱負荷１２６要求の供給制御が行われ、この供給制御においては、高温水開閉弁１３８が閉状態に、低温水開閉弁１４０が開状態に保持され、循環ポンプ１４４が作動される。また、電磁開閉弁１３２が開状態に保たれ、流量制御弁１３４が燃料ガスの流量を制御し、燃焼バーナ１２８の燃料による燃焼熱によって加熱用熱交換器１０８が加熱される。
【００３８】
従って、このときには、加熱用熱交換器１０８にて高温水が生成され、かく生成された高温水がバイパスライン１１８を通して戻り側ライン１１２に送給され、戻り側ライン１１２を流れる温水に混合されて低温水が生成される。このように生成された低温水の一部（設定低温水温度の温水）は、分岐ライン１１６を通して低温水出力部１０６から低温水供給ライン１２４を通して第２熱負荷１２６に供給され、その残部が加熱用熱交換器１０８に戻って再び加熱される。第２熱負荷１２６にて熱が消費された温水は、温水戻りライン１２５を通して熱源機１０２に戻り、戻り側ライン１１２を通して流れる間にバイパスライン１１８からの高温水と混合され低温水が生成され、このように第２熱負荷１２６を通して温水が循環される。
【００３９】
次いで、主として図２及び図４を参照して、ステップＳ３における同時要求の供給制御について説明する。この供給制御においては、コントローラ１６２は第２温度センサ１５０の検知温度Ｔに基づいてバイパス制御弁１４２及び循環ポンプ１４４を制御する。即ち、第２温度センサ１５０の検知温度Ｔが第１低温度ＴＬ１以上で且つ第１高温度ＴＨ１以下である（ＴＬ１≦Ｔ≦ＴＨ１）場合、ステップＳ３−１からステップＳ３−２に移る。この場合、熱源機１０２の低温水出力部１０６から供給される低温水の温度がほぼ設定低温水供給温度に維持されているので、バイパス制御弁１４２の開度及び循環ポンプ１４４の回転数はその状態に保持され、燃焼バーナ１２８の燃焼量の制御により低温水の温度制御が行われる。
【００４０】
また、第２温度センサ１５０の検知温度Ｔが第２低温度ＴＬ２以上で且つ第１低温度ＴＬ１よりも低い（ＴＬ２≦Ｔ＜ＴＬ１）場合、ステップＳ３−１からステップＳ３−３を経てステップＳ３−４に進む。そして、このステップＳ３−４において、バイパス制御弁１４２の開度が最大かが判断され、バイパス制御弁１４２の開度が最大であるときにはステップＳ３−２に進むが、バイパス制御弁１４２の開度が最大でないときには、ステップＳ３−４からステップＳ３−５、ステップＳ３−６及びステップＳ３−７を経てステップＳ３−２に進。この場合、熱源機１０２から供給される低温水の温度が設定低温水供給温度よりも低いので、開度補正手段１７０はバイパス制御弁１４２の開度を「大」側に１段階開くように制御し（ステップＳ３−６）、また回転数補正手段１７２は循環ポンプ１４４の回転数を「大」側に１段階上昇するように制御する（ステップＳ３−７）。
【００４１】
また、第２温度センサ１５０の検知温度Ｔが第２低温度ＴＬ２度よりも低い（Ｔ＜ＴＬ２）場合、ステップＳ３−１からステップＳ３−３を経てステップＳ３−４に進む。そして、バイパス制御弁１４２の開度が最大であるときにはステップＳ３−２に進むが、バイパス制御弁１４２の開度が最大でないときには、ステップＳ３−４からステップＳ３−５、ステップＳ３−８及びステップＳ３−９を経てステップＳ３−２に進む。この場合、熱源機１０２から供給される低温水の温度が設定低温水供給温度よりも大きく低下しているので、開度補正手段１７０はバイパス制御弁１４２の開度を「大」側に２段階開くように制御し（ステップＳ３−８）、また回転数補正手段１７２は循環ポンプ１４４の回転数を「大」側に２段階上昇するように制御する（ステップＳ３−９）。
【００４２】
また、第２温度センサ１５０の検知温度Ｔが第２高温度ＴＬ２以下で且つ第１高温度ＴＬ１よりも高い（ＴＨ１＜Ｔ≦ＴＨ２）場合、ステップＳ３−１からステップＳ３−３を経てステップＳ３−１０に進む。そして、このステップＳ３−１０において、バイパス制御弁１４２の開度が最小かが判断され、バイパス制御弁１４２の開度が最小であるときにはステップＳ３−２に進むが、バイパス制御弁１４２の開度が最小でないときには、ステップＳ３−１０からステップＳ３−１１、ステップＳ３−１２及びステップＳ３−１３を経てステップＳ３−２に進。この場合、熱源機１０２から供給される低温水の温度が設定低温水供給温度よりも高いので、開度補正手段１７０はバイパス制御弁１４２の開度を「小」側に１段階閉じるように制御し（ステップＳ３−１２）、また回転数補正手段１７２は循環ポンプ１４４の回転数を「小」側に１段階下げるように制御する（ステップＳ３−１３）。
【００４３】
また、第２温度センサ１５０の検知温度Ｔが第２高温度ＴＨ２度よりも高い（Ｔ＞ＴＨ２）場合、ステップＳ３−１からステップＳ３−３を経てステップＳ３−１０に進む。そして、バイパス制御弁１４２の開度が最小であるときにはステップＳ３−２に進むが、バイパス制御弁１４２の開度が最小でないときには、ステップＳ３−１０からステップＳ３−１１、ステップＳ３−１４及びステップＳ３−１５を経てステップＳ３−２に進む。この場合、熱源機１０２から供給される低温水の温度が設定低温水供給温度よりも大きく上昇しているので、開度補正手段１７０はバイパス制御弁１４２の開度を「小」側に２段階閉じるように制御し（ステップＳ３−１４）、また回転数補正手段１７２は循環ポンプ１４４の回転数を「小」側に２段階下降するように制御する（ステップＳ３−１５）。
【００４４】
この同時要求の供給制御においては、高温水開閉弁１３８及び低温水開閉弁１４０が開状態に保持され、循環ポンプ１４４が作動される。また、電磁開閉弁１３２が開状態に保され、流量制御弁１３４が燃料ガスの流量を制御し、燃焼バーナ１２８の燃料による燃焼熱によって加熱用熱交換器１０８が加熱される。
【００４５】
従って、このときには、加熱用熱交換器１０８にて高温水が生成され、かく生成された高温水は供給側ライン１１０に供給され、この高温水の一部が高温水出力部１０４から高温水供給ライン１２０を通して第１熱負荷１２２に供給される。また、この高温水の残部がバイパスライン１１８を通して戻り側ライン１１２に送給され、戻り側ライン１１２を流れる温水に混合されて低温水が生成される。このとき、バイパス制御弁１４２の開度が大きい（又は小さい）ときには、供給側ライン１１０からバイパスライン１１８を通して戻り側ライン１１２に送給される送給量が多く（又は少なく）なり、これによって、戻り側ライン１１０を流れる低温水の温度が上昇（又は下降）される。また、このように生成された低温水の一部は、分岐ライン１１６を通して低温水出力部１０６から低温水供給ライン１２４を通して第２熱負荷１２６に供給される。また、この低温水の残部が加熱用熱交換器１０８に戻って再び加熱される。このとき、循環ポンプ１４４の回転数１４４が大きい（又は小さい）ときには、戻り側ライン１１２を通して送給される低温水の送給量が多く（又は少なく）なり、これによって、分岐ライン１１６を通して低温水出力部１２４から供給される低温水の供給量が多く（又は少なく）なる。その結果、このようにバイパス制御弁１４２の開度に対応して循環ポンプ１４４の回転数（即ち、その温水送給量）を調整ことによって、高い運転効率を保ちながら低温水出力部１０６から供給される低温水の温度を設定低温水供給温度に維持することができる。
【００４６】
以上、本発明に従う温水供給システムの一実施形態について説明したが、本発明はかかる実施形態に限定されるものではなく、本発明の範囲を逸脱することなく種々の変形乃至修正が可能である。
【００４７】
例えば、上述した実施形態では、第２温度センサ１５０の検知温度と設定低温水供給温度との温度差が大きいときには２段階に、この温度差が小さいときには１段階にバイパス制御弁１４２の開度及び循環ポンプ１４４の回転数を補正しているが、このような構成に限定されず、第２温度センサ１５０の検知温度が設定低温水供給温度よりも所定温度（例えば、第１低温度ＴＬ１）より低いときにはバイパス制御弁１４２の開度及び循環ポンプ１４４の回転数を「大」側に補正し、また第２温度センサ１５０の検知温度が設定低温水供給温度よりも所定温度（例えば、第１高温度ＴＨ１）より高いときにはバイパス制御弁１４２の開度及び循環ポンプ１４４の回転数を「小」側に補正するようにしてもよい。
【００４８】
また、例えば、上述した実施形態では、熱源機の低温水出力部から供給される低温水の温度に基づいてバイパス制御弁の開度及び循環ポンプの送給量を制御しているが、この低温水の温度に代えて、熱源機の高温水出力部から供給される高温水の温度に基づいてバイパス制御弁の開度及び循環ポンプの送給量を制御するようにしてもよい。
【図面の簡単な説明】
【００４９】
【図１】本発明に従う温水供給システムの全体を簡略的に示す簡略図。
【図２】図１の温水供給システムの制御系を簡略的に示すブロック図。
【図３】図２の制御系による制御を示すフローチャート。
【図４】図３のフローチャートにおける同時使用の供給制御の内容を具体的に示すフローチャート。
【図５】従来の温水供給システムの一例を簡略的に示す簡略図。
【符号の説明】
【００５０】
１０２  熱源機
１０４  高温水出力部
１０６  低温水出力部
１０８  加熱用熱交換器
１１０  供給側ライン
１１２  戻り側ライン
１１６  分岐ライン
１１８  バイパスライン
１２０  高温水供給ライン
１２２  第１熱負荷
１２４  低温水供給ライン
１２５  温水戻りライン
１２６  第２熱負荷
１２８  燃焼バーナ
１４２  バイパス制御弁
１４４  循環ポンプ
１６２  コントローラ
１７０  開度補正手段
１７２  回転数補正手段
【図１】
2008232447.tif 000003
【図２】
2008232447.tif 000004
【図３】
2008232447.tif 000005
【図４】
2008232447.tif 000006
【図５】
2008232447.tif 000007